(57)【特許請求の範囲】
【請求項１】
ボタン電池又はコイン電池による電源と、
前記電源の一方の電極に接続されるグリップ電極部と、
前記電源の他方の電極に切換手段を通じて接続されるローラヘッド電極部と、
前記一方の電極に接続されるとともに、前記切換手段を利用して前記他方の電極に接続されることにより、一時的に、前記ボタン電池又はコイン電池の電池容量を外部に知らせる指示部と、
を備え、
前記ローラヘッド電極部と前記グリップ電極部を導通させたときにのみそれらの間に電流が流れるようになっており、
前記ローラヘッド電極部は、ローラ軸に対して回転可能に設けた、軸方向に沿って延びる棒状部材であり、
前記グリップ電極部は、前記ローラヘッド電極部と隣り合って、前記軸方向において前記ローラヘッド電極部と一直線状になるように配置された、前記軸方向に沿って延びる棒状部材であり、
前記切換手段は、前記軸方向において前記グリップ電極部に対して前記ローラヘッド電極部とは反対の側に配置され、前記他方の電極を、前記ローラヘッド電極部と接続させる状態、又は、前記指示部と接続させる状態、又は、前記ローラヘッド電極部及び前記指示部のいずれとも接続させない状態のいずれかとすることを特徴とする美顔器。
【請求項２】
前記切換手段は、マイコンによって制御される請求項１に記載の美顔器。
【請求項３】
前記マイコンの制御により、前記グリップ電極部と前記一方の電極の間、及び／又は、前記ローラヘッド電極部と前記他方の電極の間の接続を、所定時間経過後に自動的に切断する請求項２に記載の美顔器。
【請求項４】
切断された前記接続を、物理スイッチの所定の操作に応答して再接続する請求項３に記載の美顔器。
【請求項５】
前記マイコンの制御により、電極の極性を反転させる請求項２乃至４のいずれかに記載の美顔器。
【請求項６】
前記指示部は、前記電源の一方の電極に常時接続されるとともに、前記ローラヘッド電極部が前記他方の電極に接続される際に前記切換手段を通じて前記他方の電極に一時的に接続されて、前記ボタン電池又はコイン電池の電池容量を外部に知らせる請求項１に記載の美顔器。
【請求項７】
前記切換手段は、スライドスイッチである請求項６に記載の美顔器。
【請求項８】
前記電極の極性を反転させる制御装置を更に有する請求項６又は７に記載の美顔器。
【請求項９】
前記指示部は、ＬＥＤ又はブザーである請求項１乃至８のいずれかに記載の美顔器。
【発明の詳細な説明】
【技術分野】
【０００１】
本発明は、美顔器、特に、電池容量の確認を行うことができる小型の美顔器に関する。
【背景技術】
【０００２】
従来の美顔器の一例が特開２００９−９５４１６号公報に開示されている。この美顔器は、電極ローラによるトリートメントを可能にした美顔器に関する。電極ローラは、ローラ自体の働きとして、顔の上で転がされることにより、マッサージ効果等を発揮する。加えて、顔に所定の電流を流すことにより、該電流を利用して、栄養を皮膚の奥にまで浸透させ、或いはまた、毛穴の汚れを落とすこともできる。
【０００３】
これら従来の美顔器では、電流を生じさせるために、家庭用電気コンセントに電気コードを通じて接続され、或いは、例えば単一乾電池のような内蔵電池を用いていた。しかしながら、このような外部電力或いは大型の電池を用いる構成では、装置は大型化し、持ち運びに適さない。尚、外部電力を使用しない、自己発電型の美顔器も市場に出回っているが、自己発電器を設けたことにより装置が大型になり、上記の問題を解決するものとはなっていない。
【先行技術文献】
【特許文献】
【０００４】
【特許文献１】特開２００９−９５４１６号公報
【発明の概要】
【発明が解決しようとする課題】
【０００５】
上記従来技術における問題点を解決するため、本願発明は、持ち運びが容易な小型の美顔器を提供することを目的とする。
尚、この小型美顔器では、装置を小型化するため、ボタン電池といった小型電池を使用することとしているが、小型電池は一般の電池に比べて電池容量が小さく、使用時に電流が十分に流れているのか否かが分かりにくいといった問題がある。そこで、本願発明は、このような小型美顔器において、更に、消費電力の節約を図りつつ、電池容量の確認を可能にすることをも目的とする。
【課題を解決するための手段】
【０００６】
本発明は、ボタン電池又はコイン電池による電源と、前記電源の一方の電極に接続されるグリップ電極部と、前記電源の他方の電極に切換手段を通じて接続されるローラヘッド電極部と、前記一方の電極に接続されるとともに、前記切換手段を利用して前記他方の電極に接続されることにより、一時的に、前記ボタン電池又はコイン電池の電池容量を外部に知らせる指示部と、を備え、前記ローラヘッド電極部と前記グリップ電極部を導通させたときにのみそれらの間に電流が流れることを特徴とする美顔器を特徴とする。
【０００７】
上記美顔器において、前記切換手段は、マイコンによって制御されるものであってもよく、また、前記マイコンの制御により、前記グリップ電極部と前記一方の電極の間、及び／又は、前記ローラヘッド電極部と前記他方の電極の間の接続を、所定時間経過後に自動的に切断するものであってもよい。
【０００８】
また、上記美顔器において、切断された前記接続を、物理スイッチの所定の操作に応答して再接続するものであってもよい。電極の極性を、前記マイコンの制御により反転させてもよい。
【０００９】
更に、上記美顔器において、前記指示部は、前記電源の一方の電極に常時接続されるとともに、前記ローラヘッド電極部が前記他方の電極に接続される際に前記切換手段を通じて前記他方の電極に一時的に接続されて、前記ボタン電池又はコイン電池の電池容量を外部に知らせるものであってもよい。
【００１０】
上記美顔器において、前記切換手段は、スライドスイッチであってもよく、この場合、前記電極の極性を反転させる制御装置を更に有していてもよい。
【００１１】
また、上記美顔器において、前記他方の電極と前記ローラヘッド電極部が常時接続されていてもよい。
【００１２】
上記美顔器において、前記指示部は、ＬＥＤ又はブザーであってもよい。また、前記切換手段は、スライドスイッチであってもよい。
【００１３】
更に、上記美顔器において、前記ローラヘッド電極部は、ローラ軸の周囲に回転可能に設けた、軸方向に延びる棒状部材であって、前記グリップ電極部は、前記ローラ軸に固定された、前記軸方向に延びる棒状部材であってもよい。
【発明の効果】
【００１４】
本願発明によれば、持ち運びが容易な小型美顔器が提供される。また、小型美顔器においても、消費電力の節約を図りつつ、電池容量の確認を行うことができる。
【図面の簡単な説明】
【００１５】
【図１】本発明の第一の実施形態による美顔器の外観図である。
【図２】図１の美顔器の一部部分断面図である。
【図３】図１の美顔器の概略構成図である。
【図４】スイッチ並びの変形例を示す図である。
【図５】本発明の第二の実施形態による美顔器の概略構成図である。
【図６】マイコンによる制御方法の一例を示すフローチャートである。
【発明を実施するための形態】
【００１６】
添付図面を参照しつつ、本発明の第一の実施形態を説明する。図１は、第一の実施形態による一例としての美顔器１０の外観図、図２は、図１の美顔器の一部部分断面図、図３は、その概略構成図である。
【００１７】
図１、図２によく示されるように、本美顔器１０は、全体として細長い棒状の部材である。例えば、長さ１２５ｍｍ、最大径１４ｍｍほどの大きさと考えてよい。小型であるため、例えば、化粧用ポーチ等に入れて容易に持ち運ぶこともできる。
【００１８】
図３によく示されるように、本美顔器１０の主な構成部品は、ボタン電池等の電源２７と、この電源２７の一方の電極、即ち第一電極２７Ａに、常時接続されたグリップ電極部１３と、電源２７の他方の電極、即ち第二電極２７Ｂに、切換手段２９を通じて接続されるローラヘッド電極部１１と、更に、第一電極２７Ａに常時接続されるとともに、切換手段２９を通じて第二電極２７Ｂに一時的に接続されて、電源の容量を指示する指示部２８である。
【００１９】
装置の小型化を図るため、電源２７として、ボタン電池２７ａ、２７ｂ、又は、コイン電池（図示されていない）を用いる。ボタン電池２７ａ、２７ｂは、他の部材とともに、装置１０の後端部に配された電装部１４に収容される。例えば、一方のボタン電池２７ａは、第一電極２７Ａとして、他方のボタン電池２７ｂは、第二電極２７Ｂとして使用することができる。
【００２０】
グリップ電極部１３は、装置１０の略中間に設けた金属製の棒状部材である。この電極部１３は、ローラ軸１２に沿って軸方向に延び、ローラ軸１２に対して固定される。
【００２１】
ローラヘッド電極部１１は、装置１０の先端側に設けた金属製の棒状部材である。ローラヘッド電極部１１は、ローラ軸１２に沿って軸方向に延び、ローラ軸１２の周囲に回転可能に軸支される。ローラヘッド電極部１１は、スイッチノブ２５に接続されたスライドスイッチ２９のような切換手段を通じて、第二電極２７Ｂに選択的に接続され得る。ローラヘッド電極部１１を、第二電極２７Ｂに接続した状態で、ローラヘッド電極部１１とグリップ電極部１３の間に導通物を配置した場合、これらローラヘッド電極部１１とグリップ電極部１３の間に、導通物を通じて、微少なマイクロ（μ）電流が流れる。但し、導通物によって導通されない限り、これらの間に電流が流れることはない。故に、未使用時、つまり、導通物が存在しない状態では、装置がＯＮ状態であるか否かにかかわらず、電力が消費されることはない。導通物として、ここでは人体の一部、即ち、手と顔を想定している。使用時には、グリップ電極部１３を素手で握り、ローラヘッド電極部１１を顔に当てる。この結果、第二電極２７Ｂ、ローラヘッド電極部１１、人体の一部、グリップ電極部１３、第一電極２７Ａの順に電流が流れ、ローラヘッド電極部１１とグリップ電極部１３の間に位置する顔に、マイクロ電流が流れることになる。
【００２２】
図３に示すように、ローラヘッド電極部１１を電極２７Ｂに接続して、ローラヘッド電極部１１をマイナス極性とした場合、肌に予め与えたアミノ酸等をマイナスイオン化して、それを皮膚の奥まで浸透させることができる。また、例えば、電装部１４に設けた制御装置２６等を用いてローラヘッド電極部１１の極性を反転させて、ローラヘッド電極部１１をプラス極性とした場合、毛穴の汚れ等の汚れをローラヘッド電極部１１に吸着させることができる。更に、例えば、ローラヘッド電極部１１にプラス極性とマイナス極性が交互に現われる電流を流した場合、本装置を、マイクロカレント（微弱電流）療法に使用することもできる。マイクロカレント療法は、もともと人間の身体が出している微弱電流、中でも細胞が持つ自己治癒能が深くかかわっている損傷電流を擬似的に作り出して、個々の細胞や傷ついた組織の再生を促す方法である。尚、ローラヘッド電極部１１は、電流を流すことなく、ユーザの顔の上で転がした場合にも、例えば、ユーザの肌にマッサージ効果を与え、また、肌を刺激することができる。
【００２３】
指示部２８には、例えば、消費電力の少ないＬＥＤが好ましい。ＬＥＤ２８は、ボタン電池２７ａ、２７ｂ等とともに、電装部１４に収容される。ＬＥＤ２８は、電源２７の第一電極２７Ａに常時接続される。また、ＬＥＤ２８は、スライドスイッチ２９を通じてローラヘッド電極部１１が第二電極２７Ｂに接続される際、該スライドスイッチ２９を通じて第二電極２７Ｂに接続される。この結果、ＬＥＤ２８に電流が流れ、ＬＥＤ２８は発光する。ユーザは、ＬＥＤ２８の発光状態、例えば、発光の有無やその強弱から、残存する電池容量を判断することができる。つまり、ＬＥＤ２８は、ボタン電池２７Ａ、２７Ｂの電池容量、換言すれば、十分な容量が電池に残存しているかどうかを外部に知らせる働きを持つ。明らかなように、ボタン電池やコイン電池の電池寿命は短いため、電池容量を容易に把握できるようにして、装置を常に最適な状態で使用できる。尚、ＬＥＤ２８は、電池容量をユーザに指示できればよいため、ＬＥＤ等の光に代え、例えば、ブザー等による音を利用することもできる。
【００２４】
取り分け、本装置においては、ＬＥＤ２８やブザーを用いた電池容量の確認作業が、一時的にしか行われない点に注意していただきたい。言い換えれば、ＬＥＤ２８が、スライドスイッチ２９を通じて第二電極２７Ｂに接続されるのは一時的にだけ、ということである。ＬＥＤ２８による表示は、例えば、１秒間に満たない短時間のみ行われ、長時間行われることはない。ＬＥＤ２８を発光させるのに必要な消費電力は、例えば約１０ｍＡ程度と比較的大きく、省エネを図る必要がある一方で、電池容量の確認作業は、例えば、使用開始時のほんの一時にのみ行えば十分と考えられるため、このような制御方法であっても十分な機能を確保できる。
【００２５】
尚、スライドスイッチ２９を介した、第二電極２７Ｂと、ローラヘッド電極部１１やＬＥＤ２８との間の接続は、図４に示すように、スライドスイッチ２９に設けた、ＯＮスイッチ、ＬＥＤスイッチ、ＯＦＦスイッチを用いて制御される。ここでいうＯＮスイッチとは、より詳細には、第１電極２７Ｂをローラヘッド電極部１１に接続するスイッチを意味し、ローラヘッド電極部１１とグリップ電極部１３を導通させたときにのみ、それらの間に電流を流す。また、ＬＥＤスイッチとは、第１電極２７ＢをＬＥＤ２８に接続して、ＬＥＤ２８に電流を流すスイッチを意味する。更に、ＯＦＦスイッチとは、第１電極２７Ｂをローラヘッド電極部１１から切り離して、たとえローラヘッド電極部１１とグリップ電極部１３が導通されても、それらの間に電流が流れることがないようにするスイッチを意味する。
【００２６】
スイッチ並びの一例は、ＬＥＤスイッチ、ＯＮスイッチ、ＯＦＦスイッチの順である。これらのスイッチには、付加的な構造を設けることもできる。例えば、ＯＦＦスイッチに、スライドスイッチ２９をそこに固定するロック機構を採用し、また、ＬＥＤスイッチに、バネの弾性に反してスライドスイッチ２９をＯＮスイッチからＬＥＤスイッチへ動かすことはできるが、その直後にバネ力によって該スライドスイッチ２９をＯＮスイッチへ戻すような自動復帰機構を採用し、更に、ＯＮスイッチに、固定まではしないが、バネの働きによってスライドスイッチ２９をＯＮスイッチに維持できる維持機構を採用してもよい。尚、このような機能を達成するための構成は、当業者には明らかであるため、特に図示はしていない。
【００２７】
上述した付加的な構造を持つスイッチを用いた、切換動作の一例を以下に説明する。当初、スライドスイッチ２９が、中央のＯＮスイッチ位置に配置されていたと仮定する。この状態から、スライドスイッチ２９を、最右側のＯＦＦスイッチ位置へずらすと、スライドスイッチ２９は、ロック機構が適用されたＯＦＦスイッチ位置にロックされる。従って、スライドスイッチ２９が最左側のＬＥＤスイッチ位置に達することはなく、この場合、電池容量の確認は行われない。
その後、スライドスイッチ２９を、ロックされたＯＦＦスイッチ位置から中央のＯＮスイッチ位置へずらすと、スライドスイッチ２９は、単なる維持機構しか適用されていないＯＮスイッチ位置を素通りして最左側のＬＥＤスイッチ位置に達し、この結果、ＬＥＤによる電池容量の確認が行われる。
その後更に、ＬＥＤスイッチ位置に達したスライドスイッチ２９は、スイッチから指を離すことにより、最左端のＬＥＤスイッチ位置から中央のＯＮスイッチ位置へ自動復帰し、ＬＥＤの点灯は短時間で終了し、装置はＯＮ状態となる。
このように、本構成によれば、一時的にのみ、電源２７の電流をＬＥＤ２８に流して、ボタン電池２７Ａ、２７Ｂの電池容量、更に言えば、十分な容量が電池に残存しているかどうかを確認することができる。尚、上述したように、ＯＮスイッチ位置に自動復帰された後も、ローラヘッド電極部１１とグリップ電極部１３が導通されない限り、それらの間に電流が流れることはなく、従って、無駄な電力が消費されることはない。
【００２８】
図１に示したスイッチの並びは、所望とする設計に応じて、自由に変更することができる。図４に、このスイッチ並びの変形例を示す。
図４の（ａ）は、スイッチ並びを、ＯＮスイッチ、ＬＥＤスイッチ、ＯＦＦスイッチとしたものである。この場合、ＯＦＦスイッチからＯＮスイッチとするために、必ず、ＬＥＤスイッチを通るため、常に、電池容量の確認が行われることになる。
また、図４の（ｂ）は、スイッチ並びを、ＯＮスイッチ、ＯＦＦスイッチ、ＬＥＤスイッチとしたものである。この場合、ＯＮスイッチとＬＥＤスイッチが、ＯＦＦスイッチを挟んで離れているため、ユーザが確認したいときにのみ、ＬＥＤスイッチとして、電池容量を確認することができる。よって、確認作業をユーザが自由に決定することができる。
更に、図４の（ｃ）は、ＯＦＦスイッチを省略した例である。このように、ＯＦＦスイッチを省略する場合には、図３の構成において、第二電極２７Ｂとローラヘッド電極部１１は、常時接続された状態とする。上述したように、ローラヘッド電極部１１とグリップ電極部１３との間には、それらの間が導通されない限り、電流が流れることはないのであるから、第二電極２７Ｂとローラヘッド電極部１１は、常時接続された状態とされても、無駄な電力が消費されることもない。故に、ＯＦＦスイッチは省略が可能である。
【００２９】
更に、制御装置２６等を用いて第二電極２７Ｂや第一電極２７Ａに与える極性を変更可能とした場合、例えば、図４の（ｄ）に示すように、ＯＮ（＋）スイッチ、ＯＮ（−）スイッチ、ＬＥＤスイッチといった並びにすることもできるし、或いは、図４の（ｅ）に示すように、ＯＮ（＋）スイッチ、ＬＥＤスイッチ、ＯＮ（−）スイッチといった並びにすることもできる。尚、これらに示す例では、ＯＦＦスイッチは省略されているが、ＯＦＦスイッチを設けることは自由であり、また、それを設ける位置も自由である。例えば、図４の（ｄ）を例に挙げれば、ＯＦＦスイッチを設け、これを、ＯＦＦスイッチ、ＯＮ（＋）スイッチ、ＯＮ（−）スイッチ、ＬＥＤスイッチの順に並べてもよいし、或いは、ＯＮ（＋）スイッチ、ＯＦＦスイッチ、ＯＮ（−）スイッチ、ＬＥＤスイッチの順に並べてもよいし、或いは、ＯＮ（＋）スイッチ、ＯＮ（−）スイッチ、ＯＦＦスイッチ、ＬＥＤスイッチの順に並べても良いし、ＯＮ（＋）スイッチ、ＯＮ（−）スイッチ、ＬＥＤスイッチ、ＯＦＦスイッチの順に並べてもよい。
【００３０】
次に、図５、図６を参照して、本発明の第二の実施形態について説明する。図５は、図３に対応する概略構成図である。第二の実施形態では、第一の実施形態におけるスライドスイッチ２９のような物理スイッチ（図示されていない）に加え、更に、ソフト制御を行うマイコン２９Ａを設け、このマイコンを切換手段として用いている。
【００３１】
図６に、マイコン２９Ａによる制御方法の一例を示す。例えば、物理スイッチによって装置がＯＮ状態にされると（ステップＳ１）、マイコン２９Ａによって指示部２８が一時的に点灯する（ステップＳ２）とともに、マイコン内部のタイマ機能により時間の計測が開始される。その後、ローラヘッド電極部１１とグリップ電極部１３が導通されることなく、所定時間、例えば、３０分経過した場合には（ステップＳ３）、マイコン２９Ａの働きによって、グリップ電極部１３と一方の電極２７Ａの間、及び／又は、ローラヘッド電極部１１と他方の電極２７Ｂの間の接続が自動的に切断される（ステップＳ４）。この結果、その後の装置の誤作動が防止され、無駄な電力の消費を効果的に防ぐことができる。マイコン２９Ａによって自動的に切断された接続は、物理スイッチの所定の操作に応答して再び接続させることができる。物理スイッチの操作ミスによって無駄な電力が浪費されるのを防ぐため、例えば、一旦、物理スイッチをＯＦＦ状態とした後、再び、ＯＮ状態としたときにのみ、装置がＯＮ状態になるように設定してもよい。この場合、指示部２８は、再び、マイコン２９Ａの機能によって一時的に点灯する（ステップＳ２）。尚、第一実施形態と同様に、ローラヘッド電極部１１の電極の極性を反転可能としてもよく、この場合は、反転を、マイコン制御によって行ってもよい。
【００３２】
特に説明しないが、上の説明からも明らかなように、第二の実施形態において、物理スイッチとして第一の実施形態のスライドスイッチ２９を用いれば、第一の実施形態と第二の実施形態を組み合わせた構成とすることも可能である。この場合は、物理的な制御とソフト的な操作によって、装置をより効果的に制御することができる。
【符号の説明】
【００３３】
１１  ローラヘッド電極部
１３  グリップ電極部
１４  電装部
２７  電源
２８  指示部
２９  切換手段
【図１】
0005484287.tif 000002
【図２】
0005484287.tif 000003
【図３】
0005484287.tif 000004
【図４】
0005484287.tif 000005
【図５】
0005484287.tif 000006
【図６】
0005484287.tif 000007